(57)【要約】      （修正有）【課題】着脱が容易であり使用感に優れたリングノート用表紙カバーを提供する。【解決手段】背表紙部２に透孔部３及び切欠部９が形成されたカバーと、細長い弾性部材の一部を約１８０°折り曲げ、この折り曲げ部の一方に波形部５が、もう一方に直線部６が形成されたクリップ４とから構成され、リングノート７のリング８をカバーの裏側から透孔部３に挿入してリング８の半径部分をカバーの表側に突出させた状態とした後、波形部５をカバーの背表紙の裏側に、直線部６をカバーの背表紙の表側に沿わせながらクリップ４を上方及び下方からリング８内に挿入し、波形部５と直線部６により背表紙部２が挟持され、また波形部５がリング部８の一部に係合されて、カバーはリングノート７に装着される。【選択図】図２
0003220700.tif 000002
【実用新案登録請求の範囲】
【請求項１】
背表紙部にリングノートのリング部を挿入する透孔部が形成されると共に、前記背表紙部の上端と下端に切欠部が形成されたカバーと、細長い弾性部材の一部を約１８０°折り曲げ、この折り曲げ部の一方に波形部が、もう一方に直線部が形成されたクリップと、から構成され、
前記リング部を前記カバーの裏側から前記透孔部に挿入して前記リング部の半径部分を前記カバーの表側に突出させ、
前記波形部を前記カバーの背表紙裏側に、前記直線部を前記カバーの背表紙表側に沿わせながら前記クリップを上方及び下方から前記リング内に挿入し、前記背表紙部が前記クリップに挟持されると共に、前記直線部及び前記波形部が前記リング部の一部に係合されることにより前記カバーは前記リングノートに装着されること、
を特徴とするリングノート用表紙カバー。
【請求項２】
請求項１に係るクリップは前記波形部に代えて、第二直線部が形成されていること、を特徴とする請求項１に記載のリングノート用表紙カバー。
【請求項３】
前記リングノートは、カタログ帖又はアルバム帖と読み替えることができること、を特徴とする請求項１又は２に記載のリングノート用表紙カバー。
【請求項４】
前記カバーは、防水性を有すること、を特徴とする請求項１乃至３のいずれか１項に記載のリングノート用表紙カバー。
【考案の詳細な説明】
【技術分野】
【０００１】
本考案は、リングノートに手軽に装着して使用できる表紙カバーに関するものである。
【背景技術】
【０００２】
通常のリングノートは、一般的なノートと同じようにそのまま使用するようになっており、書籍のように表紙にカバーを装着して使用するようにはなっていない。
このため、デザイン的に画一化されていて変化に乏しく、リングノートの用途に応じて後から外観に変化をつけるのは難しい。
【０００３】
また、リングノートは綴じ穴を有する複数枚の用紙及び表裏表紙をリングにより綴じたものであり、無線綴じノートと比較して、用紙の切り離しが簡単であると共に、表表紙又は裏表紙を略３６０度開き、二つ折りとした状態でも安定した使用が可能な点に特徴がある。
【０００４】
しかし、リングノートにノートカバーを装着して使用する場合、差込口等に表裏表紙を差し込む等によりノートを保持する一般的なノートカバーでは、リングがノートカバーの背表紙部に干渉してしまうためリングノートを二つ折りにすることは困難であり、仮に二つ折りにできたとしても、安定した使用は望めない。
【０００５】
また、無理にリングノートを二つ折りにした場合には、ノートカバーに不要な折跡が付いてしまう、またリングとの接触によりノートカバーが破損してしまう、という問題もある。
【０００６】
これらの問題に対し、リングノートカバーの背面部をヒンジ構造とするリングノートカバーが公知となっている。
【０００７】
しかし、このリングノートカバーは、背面部をヒンジ構造とするため、一般的なノートカバーよりも製造コストが嵩むという問題があり、また、リングノートを閉じた状態ではヒンジ構造とした背面部が目立つため、デザイン性にも問題がある。
【先行技術文献】
【特許文献】
【０００８】
【特許文献１】特開２０１７−７１１１６号公報
【考案の開示】
【考案が解決しようとする課題】
【０００９】
本考案は、叙上の如き問題を解消し、着脱が容易であり使用感に優れたリングノート用表紙カバーを提供するのが目的である。
【課題を解決するための手段】
【００１０】
上記の課題を解決するため、請求項１に記載の考案は、リングノート用表紙カバーにおいて、背表紙部にリングノートのリング部を挿入する透孔部が形成されると共に、前記背表紙部の上端と下端に切欠部が形成されたカバーと、細長い弾性部材の一部を約１８０°折り曲げ、この折り曲げ部の一方に波形部が、もう一方に直線部が形成されたクリップと、から構成され、前記リング部を前記カバーの裏側から前記透孔部に挿入して前記リング部の半径部分を前記カバーの表側に突出させ、前記波形部を前記カバーの背表紙裏側に、前記直線部を前記カバーの背表紙表側に沿わせながら前記クリップを上方及び下方から前記リング内に挿入し、前記背表紙部が前記クリップに挟持されると共に、前記直線部及び前記波形部が前記リング部の一部に係合されることにより前記カバーは前記リングノートに装着されることを特徴とする。
【００１１】
また、請求項２に記載の考案は、請求項１に記載のリングノート用表紙カバーにおいて、請求項１に係るクリップは前記波形部に代えて、前記背表紙部と係合する第二直線部が形成されていることを特徴とする。
【００１２】
また、請求項３に記載の考案は、請求項１又は２に記載のリングノート用表紙カバーにおいて、前記リングノートは、カタログ帖又はアルバム帖と読み替えることができることを特徴とする。
【００１３】
また、請求項４に記載の考案は、請求項１乃至３のいずれか１項に記載のリングノート用表紙カバーにおいて、前記カバーは防水性を有することを特徴とする。
【考案の効果】
【００１４】
本考案によると、リングノートに表紙カバーを手軽に装着して使用できる。
【００１５】
このため、表紙カバーとして任意のデザインや色彩が施されたものや、質感の異なるものを使用することにより、使用者の好みに合わせてリングノートのデザインを変更できる。
【図面の簡単な説明】
【００１６】
【図１】カバー及びクリップの説明図である。
【図２】（ａ）リングノートにカバーを装着する前の状態を示す説明図である。（ｂ）リングノートにカバーを装着した状態を示す説明図である。
【図３】リングノートにカバーを装着した状態を背表紙側から見た説明図である。
【図４】背表紙部全域に透孔部が形成されたカバーの説明図である。
【図５】波形部に代えて第二直線部が形成されたクリップの説明図である。
【図６】リングノートに請求項２に係るクリップを用いてカバーを装着した状態の説明図である。
【考案を実施するための形態】
【００１７】
以下、図１〜図６に基づいて実施例を詳細に説明する。
【実施例１】
【００１８】
図１はカバー及びクリップの説明図、図２はリングノートにカバーを装着する前後の状態を示す説明図であり、符号の１はカバー、２はカバー１の背表紙部、３はリングノートのリングを挿入する透孔部、４はクリップ、５は背表紙部２の裏側及びリングノートのリングの一部と係合する波形部、６は背表紙部２の表側及びリングノートのリングの一部と係合する直線部、１０はクリップ４が引っ掛かる切欠部、７はリングノート、８はリングノートのリング部、９はリング部８の半径部である。
【００１９】
なお、カバー１の素材は特に限定されないが、リングノート７を保護するためには合皮等の耐衝撃性及び防水性を有するものが望ましい。
【００２０】
カバー１をリングノート７に装着する場合には、図２（ａ）に示すように、カバー１とリングノート７を見開き状態とし、リング部８をカバー１の裏側から透孔部３に挿入してリング部８の半径部９が背表紙部２の表側に突出した状態とする。
【００２１】
次に、図２（ｂ）に示すように、波形部５を背表紙部２の裏側に、直線部６を背表紙部２の表側に沿わせながらクリップ４を上方及び下方からリング部８内に挿入し、クリップ４を切欠部１０に引っ掛ける。
【００２２】
これにより、図３に示すように波形部５と直線部６により背表紙部２が挟持されると共に、直線部６が半径部９に、波形部５がリング部８の一部に係合されて、カバー１はリングノート７に安定して装着される。
【００２３】
なお、クリップ４は切欠部１０に収まり、カバー１から突き出ないため、使用者はクリップ４に指等を引っ掛けることはない。
【００２４】
カバー１をリングノート７から取り外す方法は、クリップ４をリング部８内から抜いた後、リング部８の半径部９を透孔部３から抜くのみであり、装着方法と同じく簡便かつ容易である。
【００２５】
また、リングが背表紙全域に設けられたタイプのリングノート７ａにカバーを装着する場合には、図４に示す、背表紙部２の全域にリング部８を挿入するための透孔部３が形成されたカバー１ａを用いる。
【００２６】
カバー１ａのリングノート７ａへの着脱方法は、上記したカバー１のリングノート７への着脱方法と同様であり、本考案に係るカバー１、１ａは、リング式であればカタログ帖やアルバム帖等のリングノート以外のものに対しても使用することができる。
【実施例２】
【００２７】
図５は波形部５に代えて第二直線部１１が形成されたクリップ４ａの説明図であり、実施例１と同様の方法でクリップ４ａをリング部８内に挿入すると、図６に示すように第二直線部１１と直線部６により背表紙部２が挟持されると共に、直線部６が半径部９に、第二直線部１１がリング部８の一部に係合されて、カバー１ａはリングノート７ａに安定して装着される。
【００２８】
クリップ４ａを用いたカバー１、１ａのリングノート７、７ａへの着脱方法は、実施例１に示すクリップ４を用いた場合と同様である。
【符号の説明】
【００２９】
１  カバー
１ａ  カバー
２  カバー背表紙
３  透孔部
４  クリップ
４ａ  クリップ
５  波形部
６  直線部
７  リングノート
７ａ  リングノート
８  リング部
９  リングの半径部
１０  切欠部
１１  第二直線部
【図１】
0003220700.tif 000003
【図２】
0003220700.tif 000004
【図３】
0003220700.tif 000005
【図４】
0003220700.tif 000006
【図５】
0003220700.tif 000007
【図６】
0003220700.tif 000008